(57)【要約】      （修正有）【課題】固体撮像装置を用いた撮像装置に好適であり、ズームレンズの小型化、高倍率化、及びフォーカス時の画角変動が小さく、フォーカス速度の高速化を容易に実現できるズームレンズを提供する。【解決手段】レンズ系中に、少なくとも、負屈折力を有する第１負レンズ群と、第１負レンズ群より像側に配置され、かつ負屈折力を有する第２負レンズ群と、第２負レンズ群の像側に隣接して配置されたレンズ群Ａとを有し、第２負レンズ群のみを像側に移動することで合焦を行い、以下の条件を満足する。(1)1.0<β2nmax/β2nmin<1.4(2)(1-β2nt2)×βｒｔ2<-6.0、但し、β2nmax、β2nmin：ズーミング中に於ける第２負レンズ群の横倍率の最大値、最小値、β2nｔ：第２負レンズ群の望遠端に於ける横倍率、βｒｔ：第２負レンズ群より像側に配置されるレンズ群の望遠端に於ける合成横倍率である。【選択図】図１
2014006355.tif 000002
【特許請求の範囲】
【請求項１】
レンズ系中に、少なくとも、負の屈折力を有する第１負レンズ群と、前記第１負レンズ群より像側に配置されかつ負の屈折力を有する第２負レンズ群と、前記第２負レンズ群の像側に隣接して配置されたレンズ群Ａとを有し、前記第２負レンズ群のみを像側に移動することで、無限遠から近接物体への合焦を行い、以下の条件を満足するズームレンズ。
1.0 < β2nmax/β2nmin < 1.4 ・・・・・・・・・・・・(1)
(1-β2nt2)×βｒｔ2  < -6.0   ・・・・・・・・・・・(2)
但し、
β2nmax ： ズーミング中に於ける第２負レンズ群の横倍率の最大値
β2nmin ： ズーミング中に於ける第２負レンズ群の横倍率の最小値
β2nｔ  ： 第２負レンズ群の望遠端に於ける横倍率
βｒｔ  ： 第２負レンズ群より像側に配置されるレンズ群の望遠端に於ける合成横倍率
【請求項２】
前記レンズ群Ａが以下の条件式を満足することを特徴とする請求項１に記載のズームレンズ。
1.05 < β3t/β3w < 2.00       ・・・・・・・・・・・(3)
但し、
β3ｔ ： レンズ群Ａの望遠端に於ける横倍率
β3w  ： レンズ群Ａの広角端に於ける横倍率
【請求項３】
レンズ系中に、少なくとも、負の屈折力を有する第１負レンズ群と、前記第１負レンズ群より像側に配置されかつ負の屈折力を有する第２負レンズ群と、前記第２負レンズ群の像側に隣接して配置されたレンズ群Ａとを有し、前記第２負レンズ群のみを像側に移動することで、無限遠から近接物体への合焦を行い、以下の条件を満足するズームレンズ。
1.0 < β2nmax/β2nmin < 1.4 ・・・・・・・・・・・・(1)
1.05 < β3t/β3w < 2.00       ・・・・・・・・・・・(3)
但し、
β2nmax ： ズーミング中に於ける第２負レンズ群の横倍率の最大値
β2nmin ： ズーミング中に於ける第２負レンズ群の横倍率の最小値
β3ｔ   ： レンズ群Ａの望遠端に於ける横倍率
β3w    ： レンズ群Ａの広角端に於ける横倍率
【請求項４】
前記第１負レンズ群が以下の条件式を満足することを特徴とする請求項１から３のうちの一項に記載のズームレンズ。
3.5 < β1nt/β1nw < 8        ・・・・・・・・・・(4)
但し、
β1nｔ ： 第１負レンズ群の望遠端に於ける横倍率
β1nw  ： 第１負レンズ群の広角端に於ける横倍率
【請求項５】
前記第１負レンズ群より物体側に正の屈折力を有する第１正レンズ群が配置されていることを特徴とする請求項１から４のうちの一項に記載のズームレンズ。
【請求項６】
物体側から順に、前記第１正レンズ群と、前記第１負レンズ群と、正の屈折力を有する第２正レンズ群と、前記第２負レンズ群と、前記レンズ群Ａとが配置されていることを特徴とする請求項５に記載のズームレンズ。
【請求項７】
前記レンズ群Ａが負の屈折力を有することを特徴とする請求項１から６のうちの一項に記載のズームレンズ。
【請求項８】
前記第２負レンズ群より像側に配置されるレンズ群が以下の条件式を満足することを特徴とする請求項１から７のうちの一項に記載のズームレンズ。
-1.0 < ｆｒt/ｆｔ < -0.15        ・・・・・・・・・(5)
但し、
ｆｒt： 第２負レンズ群より像側に配置されるレンズ群の望遠端に於ける合成焦点距離
ｆｔ ： 望遠端に於ける前記ズームレンズの焦点距離
【請求項９】
請求項１から８のうちの一項に記載の前記ズームレンズと、前記ズームレンズの像側に、前記ズームレンズによって形成された光学像を電気的信号に変換する撮像素子とを備えたことを特徴とする撮像装置。
【発明の詳細な説明】
【技術分野】
【０００１】
本発明は、ズームレンズ及びそれを備えた撮像装置、さらに詳しくは、小型軽量で高速合焦可能なズームレンズ及びそれを備えた撮像装置に関する。
【背景技術】
【０００２】
デジタルスチルカメラやデジタルビデオカメラ等のデジタル入出力機器のための撮影光学系として、小型軽量で近接物体への合焦可能なズームレンズが所望され、さらに近接物体への合焦が高速なフォーカス機能を有するズームレンズを備えた撮像装置が所望されている。
【０００３】
近年、デジタルスチルカメラの等の固体撮像素子を用いた撮像装置が普及している。特に、交換レンズシステムにおいては、従来より位相差センサーが出力する距離情報を用いてフォーカスを行う一眼レフが普及している。しかし、近年は、撮像素子にて結像のコントラストを測定し、コントラストに基づく合焦情報により合焦する新しいタイプの交換レンズシステムが急速に普及してきている。
【０００４】
小型のデジタルスチルカメラや新しい交換レンズシステムで用いられている撮像素子によって検出した結像のコントラスト情報に基づいて合焦を行うシステムにおいては、一般的に光学系によって結像された像のコントラストのピーク位置をフォーカスレンズ群を移動させて検出している。そのためコントラストが最も高くなる位置を一旦乗り越えることによってピーク位置を検出する。従って、フォーカスレンズ群は再度ピーク位置まで戻るような、フォーカスレンズ群の移動が必要となる。
【０００５】
このフォーカスレンズ群の移動は、フォーカスレンズ群が光軸方向に往復移動すなわち振動するような移動である。従って、高速な自動合焦を行うためには、フォーカスレンズ群を高速に移動させることが必要である。
【０００６】
一方、フォーカスレンズ群が光軸上を移動することによって画角変動すなわち結像倍率の変化が起きると、合焦作動中に像が揺れているように見え、映像の品位が損なわれ、撮像者が映像に不快感をもつことになる。
【０００７】
従来、高変倍ズームレンズにおいて、正の屈折力を有する第１レンズ群を最も物体側に配置し、その像側に負の屈折力を有する第２レンズ群を配置する構成が一般的である。このタイプのレンズ系では、最も物体側に配置されている第１レンズ群が、最も径が大きくなり、第１レンズ群の集光作用により第１レンズ群より像側に配置されたレンズ群は比較的径が小さくなる。第２群レンズは、変倍作用の多くを担う群であるため、強い屈折力を有する必要がある。そのため、収差補正上複数のレンズにて構成することとなり、重量が重くなる傾向にある。
【０００８】
そこで、従来より、フォーカス群をできるだけ軽量にするため、物体側の径の大きなレンズでのフォーカスではなく、光束が集光された後のレンズ群でフォーカスを行う、いわゆるインナーフォーカスタイプの光学系が提案されている。
このようなインナーフォーカスタイプの光学系として、負の屈折力を有する第４レンズ群でフォーカスを行うものが提案されている。すなわち、長い共役側より順に、正の屈折力の第１レンズ群と、負の屈折力の第２レンズ群と、複数または１つのレンズ群によって構成される全体として正の後続群とを有し、広角端から望遠端への変倍の際、前記第１レンズ群と前記第２レンズ群の間隔は大となり、前記第２レンズ群と前記後続群との間隔は小となるズームレンズであって、前記第２レンズ群は、負の屈折力の第２ａ群と該第２ａ群より短い共役側に配置された負の屈折力の第２ｂ群とを有し、該第２ｂ群によってフォーカシングを行うと共に、広角端の焦点距離をｆｗ 、望遠端の焦点距離をｆｔ 、前記第２ａ群の焦点距離をｆ２ａとするとき、以下の条件式を満足することを特徴とするズームレンズである（例えば、特許文献１参照）。
0.3 ＜ |f2a| / (fw × ft)1/2 ＜ 0.9
【０００９】
他のインナーフォーカスタイプの光学系としては、物体側より順に、正の第１レンズ群、負の第２レンズ群、正の第３レンズ群、負の第４レンズ群、正の第５レンズ群、負の第６レンズ群とを含み、上記レンズ群の間隔を変化させて変倍を行い、無限遠撮影時の広角端における第ｉレンズ群と第ｊレンズ群との間の群間隔をＤW(i-j)、無限遠撮影時の望遠端における第ｉレンズ群と第ｊレンズ群との間の群間隔ＤT(i-j)としたとき、条件式
（１）ＤW(1-2) ＜ＤT(1-2)
（２）ＤW(2-3) ＞ＤT(2-3)
（３）ＤW(3-4) ＞ＤT(3-4)
（４）ＤW(4-5) ＜ＤT(4-5)
（５）ＤW(5-6) ＜ＤT(5-6)
を満足し、かつ、上記第４レンズ群が光軸方向に移動することによってフォーカシングが行われるズームレンズ系が提案されている（例えば、特許文献２参照）。
【先行技術文献】
【特許文献】
【００１０】
【特許文献１】特開２０００−２８９２３号公報
【特許文献２】特開２００６−２５１４６２号公報
【発明の概要】
【発明が解決しようとする課題】
【００１１】
特許文献１及び２に開示されているズームレンズは、インナーフォーカスあるから、合焦レンズの軽量化は達成されているが、フォーカス時の画角変動量が十分に小さくなっていない。
【００１２】
（発明の目的）
本発明は、従来のズームレンズの上述した問題点に鑑みてなされたものであって、交換レンズ、デジタルスチルカメラ、デジタルビデオカメラ等の固体撮像装置を用いた撮像装置に好適であり、ズームレンズの小型化、高倍率化、及びフォーカス時の画角変動が小さく、フォーカス速度の高速化を容易に実現できるズームレンズを提供することを目的とする。
【課題を解決するための手段】
【００１３】
（第１発明）
第１発明は、レンズ系中に、少なくとも、負の屈折力を有する第１負レンズ群と、前記第１負レンズ群より像側に配置されかつ負の屈折力を有する第２負レンズ群と、前記第２負レンズ群の像側に隣接して配置されたレンズ群Ａとを有し、前記第２負レンズ群のみを像側に移動することで、無限遠から近接物体への合焦を行い、以下の条件を満足するズームレンズ。
1.0 < β2nmax/β2nmin < 1.4 ・・・・・・・・・・・・(1)
(1-β2nt2)×βｒｔ2  < -6.0   ・・・・・・・・・・・(2)
但し、
β2nmax ： ズーミング中に於ける第２負レンズ群の横倍率の最大値
β2nmin ： ズーミング中に於ける第２負レンズ群の横倍率の最小値
β2nｔ  ： 第２負レンズ群の望遠端に於ける横倍率
βｒｔ  ： 第２負レンズ群より像側に配置されるレンズ群の望遠端に於ける合成横倍率
である。
【００１４】
第１発明のズームレンズによれば、ズーム時のフォーカスレンズ群の横倍率の変化を少なくすることでフォーカスレンズ群の変倍作用の縮小化を図ると共に、フォーカスレンズ群の横倍率とフォーカスレンズ群より像側に位置するレンズ群の合成横倍率を適正化することによりピント敏感度の拡大化が図られる。
【００１５】
ここで、フォーカスレンズ群の変倍作用とは、フォーカス群の移動中における画角変動のことである。
ピント敏感度とは、フォーカスレンズ群の移動距離に対する像面の移動距離の度合である。従って、ピント敏感度の高いレンズ系においては、フォーカスレンズ群の合焦移動量を小さくすることができる。
【００１６】
高変倍ズームレンズにおいて、正の屈折力を有する第１レンズ群を最も物体側に配置し、その像側に負の屈折力を有する第２レンズ群を配置する構成が一般的である。このような光学系においては、第２レンズ群は変倍作用の多くを担うレンズ群であるため、第２レンズ群でフォーカスを行うと、フォーカス時の変倍作用を小さくすることが困難となる。
【００１７】
また、第２レンズ群は、大きな変倍作用のため、強い屈折力を有する必要がある。そのため、収差補正上複数のレンズにて構成することとなり、重量が重くなる傾向にあり、軽量化にとっても不利なレンズ群である。
【００１８】
このような状況から、本発明ではレンズ系に含まれる物体側に配置される第１負レンズ群に変倍作用を持たせ、前記第１負レンズ群より像側に負の屈折力を有する第２負レンズ群を配置し、第２負レンズ群の変倍作用を小さくすることで、フォーカス時の画角変動すなわちフォーカス時の変倍を小さくすることができる効果を有する。
【００１９】
（第２発明）
第２発明は、レンズ系中に、少なくとも、負の屈折力を有する第１負レンズ群と、前記第１負レンズ群より像側に配置されかつ負の屈折力を有する第２負レンズ群と、前記第２負レンズ群の像側に隣接して配置されたレンズ群Ａとを有し、前記第２負レンズ群のみを像側に移動することで、無限遠から近接物体への合焦を行い、以下の条件を満足するズームレンズ。
1.0 < β2nmax/β2nmin < 1.4 ・・・・・・・・・・・・(1)
1.05 < β3t/β3w < 2.00       ・・・・・・・・・・・(3)
但し、
β2nmax ： ズーミング中に於ける第２負レンズ群の横倍率の最大値
β2nmin ： ズーミング中に於ける第２負レンズ群の横倍率の最小値
β3ｔ   ： レンズ群Ａの望遠端に於ける横倍率
β3w    ： レンズ群Ａの広角端に於ける横倍率
である。
【００２０】
第２発明のズームレンズによれば、上述した第１発明の作用効果に加えて、レンズ群Ａの変倍比負担を適正化し、フォーカスレンズの第２負レンズ群の変倍比の負担を押さえて、第２負レンズ群の各種収差を容易に良好に補正し、フォーカス時の画角変動すなわちフォーカス時の変倍を小さくすることができる効果を有する。
【００２１】
（第３発明）
第３発明の撮像装置は、上述した第１発明及び第２発明のズームレンズと、該ズームレンズの像側に、前記ズームレンズによって形成された光学像を電気的信号に変換する撮像素子とを備えたことを特徴とする撮像装置である。
【００２２】
第３発明の撮像装置によれば、上述した第１発明及び第２発明のズームレンズの特性を有効に利用して、小型軽量で高速合焦可能なズームレンズ及びそれを備えた撮像装置を構成できる効果を得ることができる。
【００２３】
（本発明の第１実施態様）
第１発明において、前記レンズ群Ａが以下の条件式を満足することを特徴とする。
1.05 < β3t/β3w < 2.00       ・・・・・・・・・・・(3)
但し、
β3ｔ ： レンズ群Ａの望遠端に於ける横倍率
β3w  ： レンズ群Ａの広角端に於ける横倍率
である。
【００２４】
（本発明の第２実施態様）
第１発明及び第２発明において、前記第１負レンズ群が以下請求項１から３のうちの一項に記載のズームレンズ。
3.5 < β1nt/β1nw < 8        ・・・・・・・・・・(4)
但し、
β1nｔ ： 第１負レンズ群の望遠端に於ける横倍率
β1nw  ： 第１負レンズ群の広角端に於ける横倍率
【００２５】
（本発明の第３実施態様）
第１発明及び第２発明において、前記第１負レンズ群より物体側に正の屈折力を有する第１正レンズ群が配置されていることを特徴とする。
【００２６】
（本発明の第４実施態様）
第３実施態様において、物体側から順に、前記第１正レンズ群と、前記第１負レンズ群と、正の屈折力を有する第２Ｘ正レンズ群と、前記第２負レンズ群と、前記レンズ群Ａとが配置されていることを特徴とする。
【００２７】
（本発明の第５実施態様）
第１発明及び第２発明において、前記レンズ群Ａが負の屈折力を有することを特徴とする。
【００２８】
（本発明の第６実施態様）
第１発明及び第２発明において、前記第２負レンズ群より像側に配置されるレンズ群が以下の条件式を満足することを特徴とする。
-1.0 < ｆｒt/ｆｔ < -0.15        ・・・・・・・・・(5)
但し、
ｆｒt： 第２負レンズ群より像側に配置されるレンズ群の望遠端に於ける合成焦点距離
ｆｔ ： 望遠端に於ける前記ズームレンズの焦点距離
【００２９】
条件式（１）は、フォーカスレンズ群である第２負レンズ群における変倍作用の大きさを規定するための条件式である。
1.0 < β2nmax/β2nmin < 1.4  ・・・・・・・・・・・(1)
但し、
β2nmax ： ズーミング中における第２負レンズ群の横倍率の最大値
β2nmin ： ズーミング中における第２負レンズ群の横倍率の最小値
条件式（１）を満足することで、フォーカス群の変倍作用を小さくすることができ、フォーカス時の変倍が小さな光学系が構成される。
【００３０】
条件式（２）は、フォーカスレンズ群である第２負レンズ群によるピント敏感度を規定するための条件式である。
(1-β2nt2)×βｒｔ2  < -6.0        ・・・・・・・・(2)
但し、
β2nｔ ： 第２負レンズ群の望遠端に於ける横倍率
βｒｔ ： 第２負レンズ群より像側に配置されるレンズ群の望遠端に於ける合成横倍率
条件式（２）を満足することで、合焦レンズ群のピント敏感度を高くすることができる。すなわち、フォーカスレンズ群のフォーカス移動量を小さくすることができる。これにより、小型化が達成されるとともに、高速な自動合焦駆動が可能となる。
【００３１】
条件式（３）は、レンズ群Ａの変倍比を規定するための条件式である。
1.05 < β3t/β3w < 2.00          ・・・・・・・・・(3)
但し、
β3t ： レンズ群Ａの望遠端における横倍率
β3w ： レンズ群Ａの広角端における横倍率
第２負レンズ群（フォーカス群）の像側に隣接して配置されるレンズ群の変倍比を条件式の範囲に大きくすることで、前記第２負レンズ群（フォーカス群）の変倍作用を小さくすることができる。
【００３２】
条件式（４）は、第１負レンズ群の変倍比を規定するための条件式である。
3.5 < β1nt/β1nw < 8            ・・・・・・・・(4)
但し、
β1nｔ ： 第１負レンズ群の望遠端における横倍率
β1nw  ： 第１負レンズ群の広角端における横倍率
第１負レンズ群の変倍比を適切にすることで、高倍率と小型化を両立することができる。
条件式（４）の下限を越えると、すなわち第１負レンズ群の変倍比が小さい場合には、レンズ系を高倍率にすることが難しくなる。条件式（４）の上限を超えると、すなわち第１負レンズ群の変倍比が大きい場合には、収差補正上複数のレンズにて構成することとなり、小型化の妨げとなる。
【００３３】
条件式（５）は、第２負レンズ群より像側に配置されるレンズ群の望遠端に於ける合成焦点距離を規定するための条件式である。
-1.0 < ｆｒt/ｆｔ < -0.15            ・・・・・・・(5)
但し、
ｆｒt： 第２負レンズ群より像側に配置されるレンズ群の望遠端に於ける合成焦点距離
ｆｔ ： 望遠端に於ける前記ズームレンズの焦点距離
第２負レンズ群より像側に配置されるレンズ群の望遠端に於ける合成焦点距離を規定することで、テレフォトタイプを強くすることができ、望遠端での光学全長を小さくすることができる。
条件式（５）の下限を越えると、すなわち第２負レンズ群より像側に配置されるレンズ群の合成焦点距離が大きくなり、テレフォトタイプが弱くなってしまい、望遠端状態での光学全長が大きくなってしまう。条件式（５）の上限を超えると、すなわち第２負レンズ群より像側に配置されるレンズ群の合成焦点距離が小さくなり、テレフォトタイプが強くなりすぎ、少ないレンズ枚数で構成することが困難となり、小型化への妨げとなる。
【図面の簡単な説明】
【００３４】
【図１】本発明の第１実施形態に係るレンズ構成の広角端での光学断面図である。
【図２】本発明の第１実施形態に係るレンズの広角端状態に於ける無限遠合焦時の球面収差図、非点収差図、及び歪曲収差図である。
【図３】本発明の第１実施形態に係るレンズの中間焦点距離状態に於ける無限遠合焦時の球面収差図、非点収差図、及び歪曲収差図である。
【図４】本発明の第１実施形態に係るレンズの望遠端状態に於ける無限遠合焦時の球面収差図、非点収差図、及び歪曲収差図である。
【図５】本発明の第２実施形態に係るレンズ構成の広角端での光学断面図である。
【図６】本発明の第２実施形態に係るレンズの広角端状態に於ける無限遠合焦時の球面収差図、非点収差図、及び歪曲収差図である。
【図７】本発明の第２実施形態に係るレンズの中間焦点距離状態に於ける無限遠合焦時の球面収差図、非点収差図、及び歪曲収差図である。
【図８】本発明の第２実施形態に係るレンズの望遠端状態に於ける無限遠合焦時の球面収差図、非点収差図、及び歪曲収差図である。
【図９】本発明の第３実施形態に係るレンズ構成の広角端での光学断面図である。
【図１０】本発明の第３実施形態に係るレンズの広角端状態に於ける無限遠合焦時の球面収差図、非点収差図、及び歪曲収差図である。
【図１１】本発明の第３実施形態に係るレンズの中間焦点距離状態に於ける無限遠合焦時の球面収差図、非点収差図、及び歪曲収差図である。
【図１２】本発明の第３実施形態に係るレンズの望遠端状態に於ける無限遠合焦時の球面収差図、非点収差図、及び歪曲収差図である。
【図１３】本発明の第４実施形態に係るレンズ構成の広角端での光学断面図である。
【図１４】本発明の第４実施形態に係るレンズの広角端状態に於ける無限遠合焦時の球面収差図、非点収差図、及び歪曲収差図である。
【図１５】本発明の第４実施形態に係るレンズの中間焦点距離状態に於ける無限遠合焦時の球面収差図、非点収差図、及び歪曲収差図である。
【図１６】本発明の第４実施形態に係るレンズの望遠端状態に於ける無限遠合焦時の球面収差図、非点収差図、及び歪曲収差図である。
【発明を実施するための形態】
【００３５】
以下に示す実施形態において、諸元光学データにおける面番号NSは物体側から数えたレンズ面の順番、Rはレンズ面の曲率半径(mm)、Dはレンズ面の光軸上の間隔(mm)、Nｄはｄ線（波長λ=587.6ｎｍ）に対する屈折率、νｄはｄ線（波長λ=587.6ｎｍ）に対するアッベ数をそれぞれ示している。また、面番号の後側にＳＴＯＰを付したものは、絞りを示す。面番号の後側にＡＳＰＨを付したものは、非球面を示し、その曲率半径Rの欄には該非球面の近軸曲率半径(mm)を示している。
【００３６】
（第１実施形態）
第１実施形態のズームレンズは、物体側から順に、正の屈折力を有する第１正レンズ群Ｇ１と、負の屈折力を有する第１負レンズ群Ｇ２と、正の屈折力を有する第２正レンズ群Ｇ３と、負の屈折力を有する第２負レンズ群Ｇ４と、負の屈折力を有するレンズ群ＡＧ５と、正の屈折力を有するレンズ群ＢＧ６とで構成されている。
【００３７】
第１正レンズ群Ｇ１は、物体側から順に、物体側に凸面を向けた負の屈折力を有するメニスカスレンズＬ１と、正の屈折力を有するレンズＬ２との接合レンズと、物体側に凸面を向けた正の屈折力を有するメニスカスレンズＬ３とで、構成される。
第２負レンズ群Ｇ２は、物体側から順に、物体側の面に非球面を有し、像側の面が強い凹面で負の屈折力を有するメニスカスレンズＬ４と、両凹レンズＬ５と、両凸レンズＬ６と、物体側に凹面を向けた負の屈折力を有するメニスカスレンズＬ７とで、構成される。
第２正レンズ群Ｇ３は、物体側から順に、両面に非球面を有する両凸レンズＬ８と、両凹レンズＬ９と、両凸レンズＬ１０とで、構成される。
第２負レンズ群Ｇ４は、物体側から順に、両凸レンズＬ１４と像側の面に非球面を有する両凹レンズＬ１１との接合レンズで、構成される。
レンズ群ＡＧ５は、像側に凹面を向けた負の屈折力を有するメニスカスレンズＬ１２で、構成される。
レンズ群ＢＧ６は、像側に凸面を向けた正の屈折力を有するメニスカスレンズL13で、構成される。
【００３８】
このような構成である第１実施形態のズームレンズは、広角から望遠へのズーム作動において、第１正レンズ群Ｇ１が物体側に移動し、第１負レンズ群Ｇ２が像側に凸の軌跡を描きながら移動し、第２正レンズ群Ｇ３が物体側に移動し、第２負レンズ群Ｇ４が第２正レンズ群Ｇ３に対して像側に凸の軌跡を描きながら移動し、レンズ群ＡＧ５が物体側に移動し、レンズ群ＢＧ６は像面に対し固定である。
近接物体への合焦には、第２負レンズ群Ｇ４を像側に移動させて行う。
【００３９】
第１実施形態のズームレンズの諸元光学データは、以下の通りである。
NS            R           D            Nd         νｄ
1          63.6829      1.3000       1.91048     31.31
2          36.5043      0.0100       1.57046     42.84
3          36.5043      5.9600       1.49845     81.61
4        -852.9715      0.2000 
5          34.2606      4.0000       1.62032     63.39
6         151.8569       D( 6) 
7 ASPH     54.3406      0.2000       1.51700     49.96
8          54.6285      0.8000       1.91695     35.25
9           8.9090      4.0317
10         -30.8661      0.6500       1.91695     35.25
11          23.5188      0.4000 
12          17.7113      2.9807       1.93323     20.88
13         -28.4855      0.7683 
14         -16.2247      0.6000       1.77621     49.62
15         -51.4542       D(15) 
16 STOP      0.0000      1.2000 
17 ASPH      9.1792      2.8596       1.58547     59.46
18 ASPH    -21.2748      0.3952 
19        -469.2779      0.5000       1.89461     30.74
20          11.3473      1.6070
21          27.4927      3.2402       1.59489     68.62
22          -9.5668       D(22)
23          48.0920      1.2000       1.81263     25.46
24         -93.4000      0.0100       1.57046     42.84
25         -93.4000      0.6000       1.80558     45.45
26 ASPH     13.0486       D(26) 
27         -12.9322      0.6300       1.81263     25.46
28         -18.8160       D(28)
29        -147.0832      1.9501       1.73234     54.67
30         -35.3238      9.8000 
31           0.0000      2.8000       1.51872     64.20
32           0.0000      1.0000
【００４０】
上表において、面番号の後側にＡＳＰＨを付した非球面は、次式で表わされる。
X(y)＝（ｙ2／Ｒ）／〔１＋（１−ε・ｙ2／Ｒ2）1/2〕＋Ａ4・ｙ4＋Ａ6・ｙ6＋Ａ8・ｙ8＋Ａ10・ｙ10
ここで、X(y)は光軸から垂直方向の高さｙにおける各非球面の頂点から光軸方向に沿った距離（サグ量）、Ｒは基準球面の曲率半径（近軸曲率半径）、εは円錐係数、Ａ4,Ａ6,Ａ8,Ａ10は非球面係数である。
【００４１】
非球面の諸元光学データは、以下の通りである。
ASPH     ε            A4              A6              A8             A10
7     1.0000     1.91163e-005   -4.04139e-007    3.49343e-009   -1.49337e-011
17     1.0000    -1.14585e-004    4.99824e-006   -1.46840e-007   -1.08200e-009
18     1.0000     4.60442e-004    5.38067e-006   -2.32614e-007    0.00000e+000
26     1.0000    -6.79774e-006   -5.35988e-008    4.43501e-009   -9.66065e-011
【００４２】
以下に、ズーム作動における面間隔の変化、すなわち広角端状態(f=10.30mm)、中間焦点距離状態(f=30.47mm)及び望遠端状態(f=97.97mm)の面間隔を、焦点距離fmm、ＦナンバーFno、画角ω、と共に示す。
f      10.30      30.47      97.97
Fno      3.6490     5.0069     5.7049
ω      40.281     11.231      4.671
D( 6)     0.9300    15.4076    32.7201
D(15)    20.1523     7.8284     1.9719
D(22)     1.2330     2.6313     1.5000
D(26)     7.2929     5.8946     7.0259
D(28)     0.4190    11.1985    17.2290
【００４３】
以下に、広角端状態(f=10.30)、中間焦点距離状態(f=30.47)及び望遠端状態(f=97.97)での近接物体合焦時の面間隔を、無限物体合焦時の焦点距離f(mm)、第1レンズ面から物体までの距離D(0)(mm)、と共に示す。
f        10.30      30.47      97.97
D( 0)     920.28     903.19     889.86
D(22)       1.2704     3.3008     2.9038
D(26)       7.2555     5.2251     5.6221
【００４４】
（第２実施形態）
第２実施形態のズームレンズは、物体側から順に、正の屈折力を有する第１正レンズ群Ｇ１と、負の屈折力を有する第１負レンズ群Ｇ２と、正の屈折力を有する第２正レンズ群Ｇ３と、負の屈折力を有する第２負レンズ群Ｇ４と、負の屈折力を有するレンズ群ＡＧ５と、正の屈折力を有するレンズ群ＢＧ６とで構成されている。
【００４５】
第１正レンズ群Ｇ１は、物体側から順に、物体側に凸面を向けた負の屈折力を有するメニスカスレンズＬ１と、正の屈折力を有するレンズＬ２との接合レンズと、物体側に凸面を向けた正の屈折力を有するメニスカスレンズＬ３とで、構成される。
【００４６】
第１負レンズ群Ｇ２は、物体側から順に、物体側の面に非球面を有し、像側の面が強い凹面で負の屈折力を有するメニスカスレンズＬ４と、両凹レンズＬ５と、両凸レンズＬ６と、物体側に凹面を向けた負の屈折力を有するメニスカスレンズＬ７とで、構成される。
【００４７】
第２正レンズ群Ｇ３は、物体側から順に、両面に非球面を有する両凸レンズＬ８と、像側に凹面を向けた負レンズＬ９と、物体側に非球面を有する両凸レンズＬ１０と物体側に凹面を向けた負の屈折力を有するメニスカスレンズＬ１１との接合レンズと、像側に凹面を向けた負の屈折力を有するメニスカスレンズＬ１２と両凸レンズＬ１３との接合レンズとで、構成される。
【００４８】
第２負レンズ群Ｇ４は、物体側から順に、両凸レンズＬ１４と両凹レンズＬ１５との接合レンズで、構成される。
【００４９】
レンズ群ＡＧ５は、像側に凹面を向けた負の屈折力を有するメニスカスレンズＬ１６で、構成される。
【００５０】
レンズ群ＢＧ６は、像側に凸面を向けた正の屈折力を有するメニスカスレンズＬ１７で、構成される。
【００５１】
このような構成である第２実施形態のズームレンズは、広角端から望遠端への変倍において、第１正レンズ群Ｇ１が物体側に移動し、第１負レンズ群Ｇ２が像側に凸の軌跡を描きながら移動し、第２正レンズ群Ｇ３が物体側に移動し、第２負レンズ群Ｇ４が第２正レンズ群Ｇ３に対して像側に凸の軌跡を描きながら移動し、レンズ群ＡＧ５が物体側に移動し、レンズ群ＢＧ６は像面に対し固定である。
近接物体への合焦には、第２負レンズ群G４を像側に移動させることで行う。
【００５２】
第２実施形態のズームレンズの諸元光学データは、以下の通りである。
NS            R            D               Nd          νｄ
1          71.8184       1.3000          1.91048      31.31
2          38.1169       0.0100          1.57046      42.84
3          38.1169       4.5000          1.49845      81.61
4        -271.5053       0.2000               
5          34.2543       3.5128          1.62032      63.39
6         144.7606       D( 6)                 
7 ASPH     51.0704       0.2000          1.51700      49.96
8          43.5620       0.7600          1.91695      35.25
9           9.1890       3.7360               
10         -21.5757       0.6040          1.91695      35.25
11          29.1538       0.4000              
12          20.4299       2.7524          1.93323      20.88
13         -21.6790       0.7155               
14         -12.4871       0.5960          1.77621      49.62
15         -39.8843       D(15)               
16 STOP      0.0000       1.2000             
17 ASPH     10.5362       2.8018          1.58547      59.46
18 ASPH    -22.5427       0.2000             
19         158.7690       0.5000          1.83945      42.72
20          12.7924       1.5947            
21 ASPH     43.3184       2.3000          1.58547      59.46
22         -12.8698       0.0100          1.57046      42.84
23         -12.8698       0.4670          1.91048      31.31
24         -21.0076       0.8760           
25          64.1680       0.4670          1.91695      35.25
26          15.3783       0.0100          1.57046      42.84
27          15.3783       3.0765          1.62032      63.39
28         -13.0505        D(28)              
29          41.5408       1.3000          1.81263      25.46
30         -58.6162       0.0100          1.57046      42.84
31         -58.6162       0.4830          1.80831      46.50
32          12.0837        D(32)             
33         -15.2307       0.6300          1.81263      25.46
34         -23.6034        D(34)           
35         -87.2068       1.9569          1.73234      54.67
36         -27.2049       9.8000            
37           0.0000       2.8000          1.51872      64.20
38           0.0000       1.0000
【００５３】
非球面の諸元光学データは、以下の通りである。
ASPH     ε            A4              A6              A8             A10
7     1.0000     2.99229e-005   -2.77911e-007    4.08113e-009   -6.45590e-012
17     1.0000    -9.24021e-005   -2.03212e-006    1.09833e-007   -3.07901e-009
18     1.0000     2.42296e-004   -3.20842e-006    1.17483e-007   -3.05003e-009
21     1.0000    -1.20912e-005   -1.01954e-006    2.87946e-008   -2.68033e-010
【００５４】
以下に、ズーム作動における面間隔の変化、すなわち広角端状態(f=11.22mm)、中間焦点距離状態(f=63.64mm)及び望遠端状態(f=145.52mm)の面間隔を、焦点距離fmm、ＦナンバーFno、画角ω、と共に示す。
f     11.22      63.64     145.52
Fno     3.6414     5.3644     5.7509
ω     37.997      9.208      3.170
D( 6)    0.9300    21.8749    36.7527
D(15)   18.6221     4.8769     1.4250
D(28)    1.1900     4.2490     1.0100
D(32)    8.8421     5.7832     9.0221
D(34)    0.8860    15.9875    20.1532
【００５５】
以下に、広角端状態(f=11.22mm)、中間焦点距離状態(f=63.64mm)及び望遠端状態(f=145.52mm)での近接物体合焦時の面間隔を、無限物体合焦時の焦点距離f(mm)、第1レンズ面から物体までの距離D(0)(mm)、と共に示す。
f       11.22       63.64       145.52
D( 0)    918.76      896.55       880.86
D(28)      1.2267      4.6723       3.4247
D(32)      8.8054      5.3598       6.6074
【００５６】
（実施形態３）
第３実施形態のズームレンズは、物体側から順に、正の屈折力を有する第１正レンズ群Ｇ１と、負の屈折力を有する第１負レンズ群Ｇ２と、正の屈折力を有する第２正レンズ群Ｇ３と、負の屈折力を有する第２負レンズ群Ｇ４と、負の屈折力を有するレンズ群ＡＧ５と、正の屈折力を有するレンズ群ＢＧ６とで構成されている。
【００５７】
第１正レンズ群Ｇ１は、物体側から順に、物体側に凸面を向けた負の屈折力を有するメニスカスレンズＬ１ｌ、正の屈折力を有するレンズＬ２との接合レンズと、物体側に凸面を向けた正の屈折力を有するメニスカスレンズＬ３とで、構成される。
【００５８】
第１負レンズ群Ｇ２は、物体側から順に、物体側の面に非球面を有し、像側の面が強い凹面で負の屈折力を有するメニスカスレンズＬ４と、両凹レンズＬ５と、両凸レンズＬ６と、物体側に凹面を向けた負の屈折力を有するメニスカスレンズＬ７とで、構成される。
【００５９】
第２正レンズ群Ｇ３は、物体側から順に、両面に非球面を有する両凸レンズＬ８と、像側に凹面を向けた負レンズＬ９と、物体側に非球面を有する両凸レンズＬ１０と物体側に凹面を向けた負の屈折力を有するメニスカスレンズＬ１１との接合レンズと、像側に凹面を向けた負の屈折力を有するメニスカスレンズＬ１２と両凸レンズＬ１３との接合レンズとで、構成される。
【００６０】
第２負レンズ群Ｇ４は、物体側から順に、両凸レンズＬ１４と両凹レンズＬ１５との接合レンズで、構成される。
【００６１】
レンズ群ＡＧ５は、像側に凹面を向けた負の屈折力を有するメニスカスレンズＬ１６で、構成される。
【００６２】
レンズ群ＢＧ６は、像側に凸面を向けた正の屈折力を有するメニスカスレンズＬ１７で、構成される。
【００６３】
このような構成である第３実施形態のズームレンズは、広角端から望遠端への変倍において、第１正レンズ群Ｇ１が物体側に移動し、第１負レンズ群Ｇ２が像側に凸の軌跡を描きながら移動し、第２正レンズ群Ｇ３が物体側に移動し、第２負レンズ群Ｇ４が第２正レンズ群Ｇ３に対して像側に凸の軌跡を描きながら移動し、レンズ群ＡＧ５が物体側に移動し、レンズ群ＢＧ６は像面に対し固定である。
近接物体への合焦には、第２負レンズ群Ｇ４を像側に移動させて行う。
【００６４】
第３実施形態のズームレンズの諸元光学データは、以下の通りである。
NS            R           D          Nd          νｄ
1         109.0553      1.5000     1.90366      31.31
2          52.5697      0.0100     1.56732      42.84
3          52.5697      5.5700     1.49700      81.61
4        -146.2327      0.2000    
5          39.5728      3.9700     1.61800      63.39
6         112.3407       D( 6)         
7 ASPH     79.0234      0.2000     1.51460      49.96
8          65.0676      0.9000     1.91082      35.25
9          12.3717      4.1854         
10         -23.8730      0.7500     1.91082      35.25
11          42.3962      0.4930    
12          28.5426      3.3730     1.92286      20.88
13         -24.6589      1.0150     
14         -14.8587      0.7500     1.77250      49.62
15         -49.5781       D(15)        
16 STOP      0.0000      1.5000     
17 ASPH     13.2954      3.2480     1.58313      59.46
18 ASPH    -32.0948      0.2000      
19          62.5251      0.6200     1.86188      42.08
20          15.8491      2.0200      
21 ASPH     61.7390      2.8500     1.58313      59.46
22         -15.2253      0.0100     1.56732      42.84
23         -15.2253      0.6000     1.90766      33.41
24         -25.8791      1.0200       
25         109.2068      0.5800     1.91082      35.25
26          20.0859      0.0100     1.56732      42.84
27          20.0859      3.7247     1.61882      64.32
28         -16.2282       D(28)       
29          51.3428      1.6830     1.80518      25.46
30         -75.7267      0.0100     1.56732      42.84
31         -75.7267      0.6000     1.80420      46.50
32          15.6073       D(32)       
33         -18.5559      0.9000     1.80518      25.46
34         -28.5021       D(34)        
35        -152.2485      2.3543     1.72916      54.67
36         -38.5471     11.0000     
37           0.0000      4.2000     1.51680      64.20
38           0.0000      1.0000
【００６５】
非球面の諸元光学データは、以下の通りである。
ASPH     ε            A4              A6              A8             A10
7     1.0000     1.19556e-005   -5.12224e-008    4.21707e-010    2.89639e-012
17     1.0000    -4.81203e-005   -6.04617e-007    2.40398e-008   -4.15344e-010
18     1.0000     1.17843e-004   -9.32847e-007    2.61092e-008   -4.24829e-010
21     1.0000    -5.75515e-006   -1.80638e-007    2.44731e-009   -5.43340e-012
【００６６】
以下に、ズーム作動における面間隔の変化、すなわち広角端状態(f=14.43mm)、中間焦点距離状態(f=57.85mm)及び望遠端状態(f=145.40mm)の面間隔を、焦点距離f(mm)、ＦナンバーFno、画角ω、と共に示す。
f      14.43      57.85     145.40
Fno      3.6708     5.4085     5.9148
ω      37.102     10.651      3.671
D( 6)     1.1330    24.2823    41.7003
D(15)    21.7353     5.4909     1.7000
D(28)     1.4374     6.0872     3.6419
D(32)    12.1029     7.4531     9.8984
D(34)     1.0300    19.1189    24.8250
【００６７】
以下に、広角端状態(f=14.43mm)、中間焦点距離状態(f=57.85mm)及び望遠端状態(f=145.40mm)での近接物体合焦時の面間隔を、無限物体合焦時の焦点距離f(mm)、第1レンズ面から物体までの距離D(0)(mm)、と共に示す。
f        14.43      57.85     145.40
D( 0)     901.52     876.67     857.15
D(28)       1.5087     6.7510     6.5503
D(32)      12.0316     6.7893     6.9900
【００６８】
（実施形態４）
第４実施形態のズームレンズは、物体側から順に、正の屈折力を有する第１正レンズ群Ｇ１と、負の屈折力を有する第１負レンズ群Ｇ２と、正の屈折力を有する第２正レンズ群Ｇ３と、負の屈折力を有する第２負レンズ群Ｇ４と、負の屈折力を有するレンズ群ＡＧ５とで構成されている。
【００６９】
第１正レンズ群Ｇ１は、物体側から順に、物体側に凸面を向けた負の屈折力を有するメニスカスレンズＬ２と、正の屈折力を有するレンズＬ２との接合レンズと、物体側に凸面を向けた正の屈折力を有するメニスカスレンズＬ３とで、構成される。
【００７０】
第１負レンズ群Ｇ２は、物体側から順に、物体側の面に非球面を有し、像側の面が強い凹面で負の屈折力を有するメニスカスレンズＬ４と、両凹レンズＬ５と、両凸レンズＬ６と、物体側に凹面を向けた負の屈折力を有するメニスカスレンズＬ７とで、構成される。
【００７１】
第２正レンズ群Ｇ３は、物体側から順に、両面に非球面を有する両凸レンズＬ８と、の屈折力を有するメニスカスレンズＬ９と、両凸レンズＬ１０とで、構成される。
【００７２】
第２負レンズ群Ｇ４は、物体側から順に、両凸レンズＬ１１と像側の面に非球面を有する両凹レンズＬ１２との接合レンズで、構成される。
【００７３】
レンズ群ＡＧ５は、像側に凹面を向けた負の屈折力を有するメニスカスレンズＬ１３と、両凸レンズＬ１４で、構成される。
【００７４】
このような構成である第３実施形態のズームレンズは、広角端から望遠端への変倍において、第１正レンズ群Ｇ１が物体側に移動し、第２負レンズ群Ｇ２が像側に凸の軌跡を描きながら移動し、第２正レンズ群Ｇ３が物体側に移動し、第２負レンズ群Ｇ４が第２正レンズ群Ｇ３に対して像側に凸の軌跡を描きながら移動し、レンズ群ＡＧ５が物体側に移動する。
近接物体への合焦には、第２負レンズ群Ｇ４を像側に移動させて行う。
【００７５】
第４実施形態のズームレンズの諸元光学データは、以下の通りである。
NS            R           D           Nd          νｄ
1          65.0172      1.3000      1.91048      31.31
2          36.2100      0.0100      1.57046      42.84
3          36.2100      6.0000      1.49845      81.61
4       -2179.5150      0.2000      
5          35.2814      4.0027      1.62032      63.39
6         183.6531       D( 6)       
7 ASPH     42.2125      0.2000      1.51700      49.96
8          42.6979      0.8000      1.91695      35.25
9           8.4806      4.0102      
10         -40.2053      0.6500      1.91695      35.25
11          19.8739      0.4000      
12          15.7705      2.9108      1.93323      20.88
13         -39.4484      0.7583      
14         -17.4656      0.6000      1.77621      49.62
15         -52.0671       D(15)      
16 STOP      0.0000      1.2000     
17 ASPH      8.5883      3.0750      1.58547      59.46
18 ASPH    -25.0697      0.4400     
19         171.5901      0.5000      1.91048      31.31
20          10.4093      1.6207     
21          25.6522      3.1313      1.59489      68.62
22          -9.9776       D(22)      
23          46.2354      1.2000      1.81263      25.46
24         -53.2640      0.0100      1.57046      42.84
25         -53.2640      0.6000      1.80558      45.45
26 ASPH     13.2084       D(26)     
27         -11.9913      0.6300      1.81263      25.46
28         -21.7212      0.2000    
29          57.2469      2.1490      1.48914      70.44
30         -29.7248       D(30)    
31           0.0000      2.8000      1.51872      64.20
32           0.0000      1.0000
【００７６】
非球面の諸元光学データは、以下の通りである。
ASPH    ε           A4               A6              A8              A10
7    1.0000    8.18698e-006    -2.73054e-007    1.74363e-009    -8.23298e-012
17    1.0000   -1.01823e-004     2.84220e-006   -6.99155e-008    -7.96183e-010
18    1.0000    4.60590e-004     3.18830e-006   -1.41926e-007     0.00000e+000
26    1.0000   -1.47382e-005    -1.68264e-006    1.30906e-007    -2.85225e-009
【００７７】
以下に、ズーム作動における面間隔の変化、すなわち広角端状態(f=10.30mm)、中間焦点距離状態(f=38.91mm)及び望遠端状態(f=100.21mm)の面間隔を、焦点距離f(mm)、ＦナンバーFno、画角ω、と共に示す。
f      10.30      38.91     100.21
Fno      3.6579     5.0177     5.8760
ω      40.250     11.571      4.601
D( 6)     0.9300    21.0041    33.8012
D(15)    19.9939     5.7856     1.5907
D(22)     1.3754     2.5090     0.5000
D(26)     6.4996     5.3660     7.3750
D(30)     9.8000    20.7392    28.8212
【００７８】
以下に、広角端状態(f=10.30mm)、中間焦点距離状態(f=38.91mm)及び望遠端状態(f=100.21mm)での近接物体合焦時の面間隔を、無限物体合焦時の焦点距離f(mm)、第1レンズ面から物体までの距離D(0)(mm)、と共に示す。
f        10.30      38.91     100.21
D( 0)     921.00     904.28     887.50
D(22)       1.4164     2.8590     1.9547
D(26)       6.4586     5.0160     5.9203
【００７９】
各実施形態における条件式に係る値は、以下の通りである。
第１実施形態  第２実施形態  第３実施形態  第４実施形態
β2nmax/β2nmin        1.170         1.194          1.151         1.370
(1-β2nt2)×βｒｔ2   -6.693        -8.267         -7.217        -6.808
β3t/β3w              1.234         1.259          1.262         1.056
β1nt/β1nw            4.540         6.759          4.488         4.314
ｆｒt/ｆｔ            -0.391        -0.460         -0.503        -0.225
【符号の説明】
【００８０】
ＳＴＯＰ          絞り
Ｇ１              第１正レンズ群
Ｇ２              第１負レンズ群
Ｇ３              第２正レンズ群
Ｇ４              第２負レンズ群
Ｇ５              レンズ群Ａ
Ｇ６              レンズ群Ｂ
【図１】
2014006355.tif 000003
【図２】
2014006355.tif 000004
【図３】
2014006355.tif 000005
【図４】
2014006355.tif 000006
【図５】
2014006355.tif 000007
【図６】
2014006355.tif 000008
【図７】
2014006355.tif 000009
【図８】
2014006355.tif 000010
【図９】
2014006355.tif 000011
【図１０】
2014006355.tif 000012
【図１１】
2014006355.tif 000013
【図１２】
2014006355.tif 000014
【図１３】
2014006355.tif 000015
【図１４】
2014006355.tif 000016
【図１５】
2014006355.tif 000017
【図１６】
2014006355.tif 000018